(57)【要約】【課題】  ユーザーが腰を曲げたり、姿勢を低くしたりすることなく簡単なボタンの操作で延長管を屈折することで掃除作業を行ない易いように、構造が改善された掃除機の屈折延長管を提供する。【解決手段】  掃除機本体と吸込ブラシとの間において気密の流路を形成し、そのボディがボタン動作により屈折する延長管において、第１の延長管と；第１の延長管が回動自在に結合される第２の延長管と；第１の延長管に弾力的に設けられ、第１及び第２の延長管のそれぞれの回動動作を規制するロックボタンと；ロックボタンの抜けを防止し、第１及び第２の延長管を封じ止める封止カバー体とを含む。【選択図】      図２
2005125065.tif 000002
【特許請求の範囲】
【請求項１】
掃除機本体と吸込ブラシとの間において気密の流路を形成し、そのボディがボタン動作により屈折する延長管において、
第１の延長管と；
前記第１の延長管が回動自在に結合される第２の延長管と；
前記第１の延長管に弾力的に設けられ、前記第１及び第２の延長管のそれぞれの回動動作を規制するロックボタンと；
前記ロックボタンの抜けを防止し、前記第１及び第２の延長管を封じ止める封止カバー体とを含むことを特徴とする掃除機の屈折延長管。
【請求項２】
前記ロックボタンは、前記第１の延長管と前記第２の延長管とが回動自在に連結される関節部の回動軸の一方に突設された収容突起に設けられたことを特徴とする請求項１に記載の掃除機の屈折延長管。
【請求項３】
前記ロックボタンは、該外周面に沿って突設された少なくとも１つの抜止リブと、前記第１及び第２の延長管の回動を規制する規制突起を含むことを特徴とする請求項２に記載の掃除機の屈折延長管。
【請求項４】
前記収容突起は、該外周面に突設された少なくとも１つのガイド突起を備え、前記ロックボタンの前記ガイド突起に対応する部分にはスライド溝が設けられ、前記ロックボタンのプッシュ及びリリース時、前記スライド溝が前記ガイド突起に導かれながら前記ロックボタンの回転を抑えることを特徴とする請求項２に記載の掃除機の屈折延長管。
【請求項５】
前記ロックボタンと収容突起との間には弾性部材が介在され、前記ロックボタンがプッシュされた場合、前記ロックボタンをリリース方向に付勢することを特徴とする請求項４に記載の掃除機の屈折延長管。
【請求項６】
前記第２の延長管は、一方が開口し前記収容突起が回動自在にスライド結合する結合スロットを含むスロットプレートと、前記規制突起に対応する位置に形成され、前記規制突起の軸方向への位置変化によって前記規制突起を選択的にロックする係止片を含むことを特徴とする請求項３に記載の掃除機の屈折延長管。
【請求項７】
前記係止片と前記スロットプレートとは、前記規制突起の厚さ以上の距離をもって隔てられたことを特徴とする請求項６に記載の掃除機の屈折延長管。
【請求項８】
前記封止カバー体は、前記ロックボタンの外周面に対応する大きさのボタンホールが設けられた第１のカバー体と、前記第１のカバー体と結合され前記第１及び第２の延長管のそれぞれの連結部を封じ止める第２のカバー体を含むことを特徴とする請求項１に記載の掃除機の屈折延長管。
【請求項９】
掃除機本体と吸込ブラシとの間において気密の流路を形成し、そのボディがボタン動作により屈折する延長管において、
一方が開口した円筒状連結部の中心に、弾性部材によりプッシュ／リリース動作が行われるロックボタンが設けられる収容突起が突設される第１の延長管と；
前記収容突起がスライド結合するスロットプレートと、前記ロックボタンを選択的にロックする係止片が備えられた第２の延長管と；
前記第１及び第２の延長管の連結部を封じ止め、前記ロックボタンを外部に露出させるボタンホールを備えた封止カバー体とを含むことを特徴とする掃除機の屈折延長管。
【請求項１０】
前記ロックボタンは、該外周面に沿って突設された少なくとも１つの抜止リブ及び、前記第１及び第２の延長管の回動を規制する規制突起を含むことを特徴とする請求項９に記載の掃除機の屈折延長管。
【請求項１１】
前記収容突起は、該外周面に突設された少なくとも１つのガイド突起を備え、前記ロックボタンの前記ガイド突起に対応する部分にはスライド溝が設けられ、前記ロックボタンのプッシュ及びリリース時、前記スライド溝が前記ガイド突起に導かれ、前記ロックボタンの回転を抑えることを特徴とする請求項９に記載の掃除機の屈折延長管。
【請求項１２】
前記第２の延長管は、前記収容突起が嵌合する結合スロットを有するスロットプレート及び、前記規制突起に対応する位置に形成され、前記規制突起の軸方向への位置変化によって前記規制突起を選択的にロックする係止片を含むことを特徴とする請求項９に記載の掃除機の屈折延長管。
【請求項１３】
前記係止片と前記スロットプレートとは、前記規制突起の厚さ以上の距離をもって隔てられたことを特徴とする請求項１２に記載の掃除機の屈折延長管。
【請求項１４】
前記封止カバー体は、前記ボタンホールが設けられた第１のカバー体と、前記第１のカバー体と結合され前記第１及び第２の延長管のそれぞれの連結部を封じ止める第２のカバー体を含むことを特徴とする請求項９に記載の掃除機の屈折延長管。
【発明の詳細な説明】
【技術分野】
【０００１】
本発明は掃除機に関し、より詳しくは、ベッド、ソファー等の家具類の下の空間がより掃除し易いように延長管の連結部を屈折可能に連結することができる掃除機の屈折延長管に関する。
【背景技術】
【０００２】
一般に、掃除機は、掃除機本体に設けられた真空吸込モーターにより発生した真空吸込力により被掃除面のゴミ等を空気と共に吸い込むものであって、掃除機本体と掃除を行なう吸込ブラシとを気密の状態で連結するための流路が形成される。
【０００３】
このような流路は、掃除機の種類によって様々な形態で設けることができるが、一般に、キャニスター型掃除機の場合、本体と作動把手とを連結するフレキシブルホースと、作動把手と吸込ブラシとを連結する延長管とからなる。このような延長管は、必要に応じて長さが調節可能な伸縮型であるか、または複数の延長管のそれぞれが分離及び組立可能に備えられることが一般的である。
【０００４】
しかし、ユーザーがベッドやソファーのような家具類の下の部分を掃除するためには、前記のような従来の延長管で連結された吸込ブラシの場合、延長管と吸込ブラシとの角度が固定されている場合が多いため、姿勢を低くした状態で吸込ブラシを底面に密着した状態で延長管を回して掃除機をかけなければならない。また、延長管と吸込ブラシとの角度が可変できるとしても、吸込ブラシを家具の下の部分に入れるためには、ユーザーが腰を曲げなければならない等の不便があり、改善が求められている。
【発明の開示】
【発明が解決しようとする課題】
【０００５】
本発明は、前記のような問題点を解決するためになされたものであって、その目的は、ユーザーが腰を曲げたり、姿勢を低くしたりすることなく簡単なボタンの操作で延長管を屈折することで掃除作業を行ない易いように、構造が改善された掃除機の屈折延長管を提供することである。
【課題を解決するための手段】
【０００６】
前記のような目的を達成するための本発明に係る掃除機の屈折延長管は、掃除機本体と吸込ブラシとの間において気密の流路を形成し、そのボディがボタン動作により屈折する延長管において、第１の延長管と；前記第１の延長管が回動自在に結合される第２の延長管と；前記第１の延長管に弾力的に設けられ、前記第１及び第２の延長管のそれぞれの回動動作を規制するロックボタンと；前記ロックボタンの抜けを防止し、前記第１及び第２の延長管を封じ止める封止カバー体とを含むことを特徴とする。
【０００７】
本発明の好適な実施例によると、前記ロックボタンは、前記第１の延長管と前記第２の延長管とが回動自在に連結される関節部の回動軸の一方に突設された収容突起に設けられることがよい。
【０００８】
そして、前記ロックボタンは、該外周面に沿って突設された少なくとも１つの抜止リブ及び、前記第１及び第２の延長管の回動を規制する規制突起を含むことができる。
【０００９】
また、前記収容突起は、該外周面に突設された少なくとも１つのガイド突起を備え、前記ロックボタンの前記ガイド突起に対応する部分にはスライド溝が設けられ、前記ロックボタンのプッシュ及びリリース時、前記スライド溝が前記ガイド突起に導かれながら前記ロックボタンの回転を抑えることが好ましい。
【００１０】
更に、前記ロックボタンと収容突起との間には弾性部材が介在され、前記ロックボタンがプッシュされた場合、前記ロックボタンをリリース方向に付勢することができる。
【００１１】
また、前記第２の延長管は、一方が開口し前記収容突起が回動自在にスライド結合する結合スロットを含むスロットプレート及び、前記規制突起に対応する位置に形成され、前記規制突起の軸方向への位置変化によって前記規制突起を選択的にロックする係止片を含むことが好ましい。
【００１２】
そして、前記係止片と前記スロットプレートとは、前記規制突起の厚さ以上の距離をもって隔てられることがよい。
【００１３】
また、前記封止カバー体は、前記ロックボタンの外周面に対応する大きさのボタンホールが設けられた第１のカバー体と、前記第１のカバー体と結合され前記第１及び第２の延長管のそれぞれの連結部を封じ止める第２のカバー体を含むことが好ましい。
【発明の効果】
【００１４】
以上で説明したような本発明に係る掃除機の屈折延長管によると、ユーザーが腰を曲げたり、姿勢を低くしたりすることなく簡単なボタン操作だけで延長管を屈折することができるため、ベッドやソファーのような家具類の下の部分も容易に掃除することができ、掃除時におけるユーザーの便宜性が増大する。
【発明を実施するための最良の形態】
【００１５】
以下、本発明の好適な実施例を、添付した図１及び図２を参照して説明する。
【００１６】
図１は、本発明に係る掃除機の屈折延長管を示す斜視図である。本発明に係る掃除機の屈折延長管１００は、第１及び第２の延長管１１０、１２０がロックボタン１３０のプッシュ及びリリース動作によって屈折可能に結合され、連結部からの吸込空気の漏れを防止し、ロックボタン１３０の軸方向への抜けを抑えるための封止カバー体１４０が備えられている。
【００１７】
第１の延長管１１０は、図２に示すように、第２の延長管１２０と対面する一方が貫通した開口部（図示せず）を有する円筒状継ぎ手部Ｊ１を有し、継ぎ手部Ｊ１の略中央の付近には、回転軸と同軸をなして突設された収容突起１１１が形成されている。収容突起１１１には、ロックボタン１３０が軸方向にプッシュ及びリリース可能に設けられるが、好ましくは、弾性部材Ｓの介在下で収容突起１１１がロックボタン１３０の内部に挿入されるように設けられることがよい。
【００１８】
収容突起１１１とロックボタン１３０のそれぞれには少なくとも１つのガイド突起１１１ａとスライド溝１３０ａが、図２に示すように、相補的に形成される。従って、ロックボタン１３０は、該外周面に設けられたスライド溝１３０ａに結合されるガイド突起１１１ａによりプッシュ及びリリースされる時、その経路がガイドされ、第１の延長管１１０の回動動作と連動して同一の回転角度をもってボタンが一緒に回動する。
【００１９】
ロックボタン１３０の外周面には、ロックボタン１３０の軸方向への抜けを防止するための抜止リブ１３１と、第１及び第２の延長管１１０、１２０の回動角度を規制するための規制突起１３２が突設される。
【００２０】
抜止リブ１３１は、封止カバー体１４０の外側に露出するロックボタン１３０が軸方向に抜けることを防止するために、ロックボタン１３０の直径以上になるように、図２に示すように、少なくとも１つ円周方向に沿って突設されることがよい。好ましくは、図示したように、それぞれが対称をなして設けられることがよく、これは、それぞれの抜止リブ１３１が均一に封止カバー体１４０に支えられることで傾くことがないようにするためである。
【００２１】
規制突起１３２は、抜止リブ１３１と重なり合わない位置に少なくとも１つ円周方向に沿って突設される。好ましくは、その高さは、抜止リブ１３１より低く形成されることがよく、一方にテーパ状の傾斜面を有するようにすることでユーザーが小さい力でも第１及び第２の延長管１１０、１２０を屈折できるようにすることがよい。
【００２２】
第２の延長管１２０は、第１の延長管１１０に設けられた円筒状継ぎ手部Ｊ１と回動自在に結合できるように円筒状継ぎ手部Ｊ１に対応する形状の継ぎ手収容部Ｊ２を含む。
【００２３】
継ぎ手収容部Ｊ２は、収容突起１１１がその略中央の付近までスライド結合する結合スロット１２１ａを有するスロットプレート１２１と、規制突起１３２と選択的に当接しながら、第１及び第２の延長管１１０、１２０の回動を拘束する係止片１２２を含む。
【００２４】
スロットプレート１２１は、略円板状をなし、その直径が円筒状継ぎ手部Ｊ１のそれと対応するように形成され、継ぎ手収容部Ｊ２の内周面と円筒状継ぎ手部Ｊ１の外周面とが密着するようにすることがよい。また、結合スロット１２１ａは、スロットプレート１２１の中心と収容突起１１１の中心とがほぼ重なり合えるように、収容突起１１１の直径と対応する幅を有するように形成される。また、第１の延長管１１０が収容突起１１１を軸にして回動できるように、その塞がれた端部は、図２に示すように、円弧状をなして形成されることがよい。
【００２５】
係止片１２２は、規制突起１３２と選択的に当接しながら、第１及び第２の延長管１１０、１２０の回動を規制する。好ましくは、図２に示すように、スロットプレート１２１から所定の間隔を隔てて形成され、その離隔距離は、規制突起１３２の厚さ以上の間隔をもつようにする。従って、ユーザーがロックボタン１３０をプッシュした場合、規制突起１３２は、その軸方向位置が変りながら、係止片１２２から離れることで、係止片１２２とスロットプレート１２１との間の隔てられた空間を通れる状態になる。
【００２６】
封止カバー体１４０は、第１及び第２の延長管１１０、１２０の継ぎ手収容部Ｊ１、Ｊ２の間からの吸込空気の漏れを防止し、ロックボタン１３０の軸方向への抜けを防止するために第１及び第２のカバー体１４１、１４２からなることがよい。
【００２７】
第１のカバー体１４１には、ロックボタン１３０を外部に露出させるためのボタンホール１４１ａがロックボタン１３０の外周面に対応する大きさで貫通形成されている。好ましくは、前記ボタンホールは、ロックボタン１３０の外周面の直径以上、抜止リブ１３１を含むロックボタン１３０の外周面の直径未満の大きさで形成され、抜止リブ１３１が、第１のカバー体１４１の内周面により支えられ、ロックボタン１３０の軸方向への抜けを防止するように備えられることがよい。
【００２８】
以下、図３及び図４を参照して本発明に係る掃除機の屈折延長管の動作を説明する。
【００２９】
図３は、第１及び第２の延長管１１０、１２０の結合角度が０°の状態を示す図であって、作動状態をより明確に説明するために、封止カバー体１４０を取り外した状態を示す斜視図である。一般の被掃除面、例えば、床面等を掃除する時は、このように結合角度を０°に固定した状態で掃除機をかけるが、規制突起１３２は、係止片１２２の一端１２２ａに当接しながら、第１及び第２の延長管１１０、１２０が図３のＡ方向に屈折することを防止し、抜止リブ１３１は、係止片１２２の他端１２２ｂに当接しながら、第１及び第２の延長管１１０、１２０を支えることで第１及び第２の延長管１１０、１２０が図３のＢ方向に屈折することを防止する。
【００３０】
そして、ユーザーがベッドやソファーの下部分の空間を掃除機をかける場合、ロックボタン１３０をプッシュすると、規制突起１３２は、係止片１２２から離れながら、係止片１２２とスロットプレート１２１との間の空間部を通れるようになる。従って、ロックボタン１３０をプッシュした状態で、ユーザーが第１の延長管１１０または第２の延長管１２０を屈折すると、規制突起１３２は、係止片１２２とスロットプレート１２１との間の空間部の内周面と当接しながら、ユーザーの所望する角度だけ回動が可能である。
【００３１】
本発明の好適な実施例によると、ユーザーが最も楽な姿勢でベッドやソファーのような家具類の下部分に掃除機をかけるためには、第１及び第２の延長管１１０、１２０の屈折角度が４５°を保つことが好ましい。従って、規制突起１３２は、ロックボタン１３０の中心から第１及び第２の延長管１１０、１２０の角度が０°になる時、係止片１２２に当接し支えられる一端１２２ａを連結する仮想の線と、第１及び第２の延長管１１０、１２０の角度が４５°になる時、係止片１２２の他端１２２ｂに当接し支えられる地点を連結する仮想の線の内角が４５°になるように備えられることがよい。
【００３２】
前記したように、固定位置に規制突起１３２が到達すると、一端に形成されたテーパ状の傾斜面が係止片１２２を滑りながら、弾性部材Ｓによりリリース方向にロックボタン１３０を付勢する。従って、ロックボタン１３０は、最初にユーザーが屈折延長管１００を屈折するために、ロックボタン１３０をプッシュする以前の状態に戻る。
【００３３】
家具の下部分に対する掃除が終り、一般の床面の掃除のために再び本発明に係る屈折延長管１００の第１及び第２の延長管１１０、１２０の屈折角度を０°に戻すためには、ユーザーは、前記手順の逆順、即ち、ロックボタン１３０をプッシュした状態で、第１及び第２の延長管１１０、１２０を元に広げると、弾性部材Ｓによりロックボタン１３０を付勢して元の位置に戻す。
【００３４】
以上、本発明を、本発明の原理を例示するための好適な実施例に関連して図示し説明したが、本発明のそのように図示し説明した通りの構成及び作用に限定されるものではなく、却って、添付した特許請求の範囲の思想及び範疇を逸脱することなく本発明に対する多数の変更及び修正が可能であることを当業者であればよく理解できるはずである。従って、そのような適切な変更及び修正と均等物も本発明の範囲に属するものとみなすべきである。
【図面の簡単な説明】
【００３５】
【図１】本発明に係る屈折延長管を示す斜視図である。
【図２】本発明に係る屈折延長管の分解斜視図である。
【図３】封止カバー体が取り外された本発明に係る屈折延長管の屈折以前の状態を示す斜視図である。
【図４】封止カバー体が取り外された本発明に係る屈折延長管の屈折以降の状態を示す斜視図である。
【符号の説明】
【００３６】
１００    屈折延長管
１１０    第１の延長管
１１１    収容突起
１１１ａ  ガイド突起
１２０    第２の延長管
１２１    スロットプレート
１２１ａ  結合スロット
１２２    係止片
１３０    ロックボタン
１３０ａ  スライド溝
１３１    抜止リブ
１３２    規制突起
１４０    封止カバー体
１４１、１４２  第１及び第２のカバー体
Ｓ        弾性部材
Ｊ１、Ｊ２  円筒状継ぎ手及び継ぎ手収容部
【図１】
2005125065.tif 000003
【図２】
2005125065.tif 000004
【図３】
2005125065.tif 000005
【図４】
2005125065.tif 000006